【手続補正書】
【提出日】平成30年4月24日(2018.4.24)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
デバイスによって、免許不要無線周波数スペクトル帯域が通信のために利用可能であると決定することと、
前記デバイスによっておよび前記免許不要無線周波数スペクトル帯域が前記通信のために利用可能であると決定したことに基づいて、前記デバイスが前記免許不要無線周波数スペクトル帯域を介して情報を送信中であることを示すプリアンブルを送信すること、
ここにおいて、前記プリアンブルは、第１の無線アクセス技術と関連する、と、
前記デバイスによっておよび前記免許不要無線周波数スペクトル帯域が前記通信のために利用可能であると決定したことに基づいて、前記デバイスが前記免許不要無線周波数スペクトル帯域を介して前記情報を送信中であることを示すビーコン信号を送信すること、
ここにおいて、前記ビーコン信号は、前記第１の無線アクセス技術と異なる第２の無線アクセス技術と関連し、
ここにおいて、前記プリアンブルおよび前記ビーコン信号は、前記デバイスが前記免許不要無線周波数スペクトル帯域を介して前記情報を送信するために使用中である前記無線アクセス技術を示す、と、
を備える、ワイヤレス通信のための方法。
【請求項２】
前記プリアンブルを送信することは、
前記免許不要無線周波数スペクトル帯域を介して前記プリアンブルを送信することを備え、
ここにおいて、前記ビーコン信号を送信することは、
前記免許不要無線周波数スペクトル帯域を介して前記ビーコン信号を送信することを備える、
請求項１に記載の方法。
【請求項３】
前記プリアンブルは、Ｗｉ−Ｆｉプリアンブルを含み、
ここにおいて、前記第１の無線アクセス技術は、Ｗｉ−Ｆｉ無線アクセス技術を含み、
ここにおいて、前記ビーコン信号は、チャネル使用ビーコンシンボルを含み、および、
ここにおいて、前記第２の無線アクセス技術は、前記免許不要無線周波数スペクトル帯域においてデプロイされたロングタームエボリューション（ＬＴＥ）無線アクセス技術を含む、
請求項１に記載の方法。
【請求項４】
前記プリアンブルを送信することおよび前記ビーコン信号を送信することは、
通信構造に前記Ｗｉ−Ｆｉプリアンブルおよび前記チャネル使用ビーコンシンボルを含めること、
前記Ｗｉ−Ｆｉプリアンブルは、前記通信構造の第１のフィールドに含められ、
前記チャネル使用ビーコンシンボルは、前記通信構造の第２のフィールドに含められ、
前記第１のフィールドは、前記第２のフィールドに先行する、と、
前記通信構造を使用して前記プリアンブルおよび前記ビーコン信号を送信することと、を備える、
請求項３に記載の方法。
【請求項５】
前記プリアンブルを送信することおよび前記ビーコン信号を送信することは、
通信構造に前記Ｗｉ−Ｆｉプリアンブルおよび前記チャネル使用ビーコンシンボルを含めること、
前記Ｗｉ−Ｆｉプリアンブルは、前記通信構造の第１のフィールドに含められ、
前記チャネル使用ビーコンシンボルは、前記通信構造の第２のフィールドに含められ、
前記第２のフィールドは、前記第１のフィールドに先行する、と、
前記通信構造を使用して前記プリアンブルおよび前記ビーコン信号を送信することと、を備える、
請求項３に記載の方法。
【請求項６】
前記プリアンブルを送信することおよび前記ビーコン信号を送信することは、
通信構造の同じフィールドに前記Ｗｉ−Ｆｉプリアンブルおよび前記チャネル使用ビーコンシンボルを含めることと、
前記通信構造を使用して前記プリアンブルおよび前記ビーコン信号を送信することと、を備える、
請求項３に記載の方法。
【請求項７】
前記プリアンブルは、前記ビーコン信号内に埋め込まれる、
請求項１に記載の方法。
【請求項８】
前記免許不要無線周波数スペクトル帯域が前記通信のために利用可能であると決定することは、
クリアチャネルアセスメント（ＣＣＡ）プロシージャを実行することと、
前記ＣＣＡプロシージャを実行することに基づいて前記免許不要無線周波数スペクトル帯域が前記通信のために利用可能であると決定することと、を備える、
請求項１に記載の方法。
【請求項９】
前記デバイスは、基地局またはユーザ機器のうちの少なくとも１つを含む、
請求項１に記載の方法。
【請求項１０】
前記プリアンブルは、Ｗｉ−Ｆｉプリアンブルを含み、
ここにおいて、前記Ｗｉ−Ｆｉプリアンブルは、
前記デバイスを特定するソース識別子、または、
前記デバイスが前記免許不要無線周波数スペクトル帯域においてデプロイされたロングタームエボリューション（ＬＴＥ）無線アクセス技術を使用して信号を送信することが可能であることを示す無線アクセス技術インジケータのうちの少なくとも１つを含む、
請求項１に記載の方法。
【請求項１１】
前記デバイスの通信範囲内のＷｉ−Ｆｉアクセスポイントと関連したＷｉ−Ｆｉプロトコルを決定することと、
前記Ｗｉ−Ｆｉプロトコルに基づいて前記プリアンブルを生成することと、をさらに備える、
請求項１に記載の方法。
【請求項１２】
前記プリアンブルは、Ｗｉ−Ｆｉプリアンブルを含み、
ここにおいて、前記Ｗｉ−Ｆｉプリアンブルは、前記通信の継続時間を示す継続時間インジケータを含み、および、
ここにおいて、前記ビーコン信号は、前記プリアンブルが送信されたことの指示を含む、
請求項１に記載の方法。
【請求項１３】
ワイヤレス通信のための装置であって、
プロセッサと、
前記プロセッサと電子通信状態にあるメモリと、
を備え、前記プロセッサおよび前記メモリは、
免許不要無線周波数スペクトル帯域が通信のために利用可能であると決定することと、
前記免許不要無線周波数スペクトル帯域が前記通信のために利用可能であると決定したことに基づいて、前記デバイスが前記免許不要無線周波数スペクトル帯域を介して情報を送信中であることを示すプリアンブルを送信すること、
ここにおいて、前記プリアンブルは、第１の無線アクセス技術と関連する、と、
前記免許不要無線周波数スペクトル帯域が前記通信のために利用可能であると決定したことに基づいて、前記デバイスが前記免許不要無線周波数スペクトル帯域を介して前記情報を送信中であることを示すビーコン信号を送信すること、
ここにおいて、前記ビーコン信号は、前記第１の無線アクセス技術と異なる第２の無線アクセス技術と関連し、
ここにおいて、前記プリアンブルおよび前記ビーコン信号は、前記デバイスが前記免許不要無線周波数スペクトル帯域を介して前記情報を送信するために使用中である前記無線アクセス技術を示す、と、
を行うように構成される、ワイヤレス通信のための装置。
【手続補正２】
【補正対象書類名】明細書
【補正対象項目名】０１４０
【補正方法】変更
【補正の内容】
【０１４０】
[0150]本明細書において使用されるいずれの要素、動作、および命令も、そのように明示されないかぎり極めて重要であるまたは不可欠であるとは解釈されるべきでない。さらに、本明細書において使用され場合、冠詞「ａ」および「ａｎ」は、１つまたは複数のアイテムを含むことが意図され、「１つまたは複数の」と互換可能な形で使用され得る。さらに、本明細書において使用される場合、用語「組」は、１つまたは複数のアイテムを含むことが意図され、「１つまたは複数の」と互換可能な形で使用され得る。１つのみのアイテムが意図される場合は、用語「１つの」または同様の言葉が使用される。さらに、本明細書において使用される場合、用語「有する」（「ｈａｓ」、「ｈａｖｅ」、「ｈａｖｉｎｇ」）または同様の物は、制限のない自由な用語であることが意図される。さらに、句「〜に基づいて」は、別の明示がないかぎり、「少なくとも部分的に〜に基づいて」を意味することが意図される。
以下に本願の出願当初の特許請求の範囲に記載された発明を付記する。
［Ｃ１］
ワイヤレス通信のための方法であって、
デバイスによって、免許不要無線周波数スペクトル帯域が通信のために利用可能であると決定することと、
前記デバイスによっておよび前記免許不要無線周波数スペクトル帯域が前記通信のために利用可能であると決定したことに基づいて、前記デバイスが前記免許不要無線周波数スペクトル帯域を介して情報を送信中であることを示す第１の送信インジケータを送信すること、
ここにおいて、前記第１の送信インジケータは、第１の無線アクセス技術と関連される、と、
前記デバイスによっておよび前記免許不要免許不要無線周波数スペクトル帯域が前記通信のために利用可能であると決定したことに基づいて、前記デバイスが前記免許不要無線周波数スペクトル帯域を介して情報を送信中であることを示す第２の送信インジケータを送信すること、
ここにおいて、前記第２の送信インジケータは、前記第１の無線アクセス技術と異なる第２の無線アクセス技術と関連される、と、を備える、ワイヤレス通信のための方法。
［Ｃ２］
前記第１の送信インジケータを送信することは、
前記免許不要無線周波数スペクトル帯域を介して前記第１の送信インジケータを送信することを備え、
ここにおいて、前記第２の送信インジケータを送信することは、
前記免許不要無線周波数スペクトル帯域を介して前記第２の送信インジケータを送信することを備える、
Ｃ１に記載の方法。
［Ｃ３］
前記第１の送信インジケータは、Ｗｉ−Ｆｉプリアンブルを含み、
ここにおいて、前記第１の無線アクセス技術は、Ｗｉ−Ｆｉ無線アクセス技術を含み、
ここにおいて、前記第２の送信インジケータは、チャネル使用ビーコンシンボルを含み、および、
ここにおいて、前記第２の無線アクセス技術は、前記免許不要無線周波数スペクトル帯域においてデプロイされたロングタームエボリューション（ＬＴＥ）無線アクセス技術を含む、
Ｃ１に記載の方法。
［Ｃ４］
前記第１の送信インジケータを送信することおよび前記第２の送信インジケータを送信することは、
通信構造に前記Ｗｉ−Ｆｉプリアンブルおよび前記チャネル使用ビーコンシンボルを含めること、
前記Ｗｉ−Ｆｉプリアンブルは、前記通信構造の第１のフィールドに含められ、
前記チャネル使用ビーコンシンボルは、前記通信構造の第２のフィールドに含められ、
前記第１のフィールドは、前記第２のフィールドに先行する、と、
前記通信構造を使用して前記第１の送信インジケータおよび前記第２の送信インジケータを送信することと、を備える、
Ｃ３に記載の方法。
［Ｃ５］
前記第１の送信インジケータを送信することおよび前記第２の送信インジケータを送信することは、
通信構造に前記Ｗｉ−Ｆｉプリアンブルおよび前記チャネル使用ビーコンシンボルを含めること、
前記Ｗｉ−Ｆｉプリアンブルは、前記通信構造の第１のフィールドに含められ、
前記チャネル使用ビーコンシンボルは、前記通信構造の第２のフィールドに含められ、
前記第２のフィールドは、前記第１のフィールドに先行する、と、
前記通信構造を使用して前記第１の送信インジケータおよび前記第２の送信インジケータを送信することと、を備える、
Ｃ３に記載の方法。
［Ｃ６］
前記第１の送信インジケータを送信することおよび前記第２の送信インジケータを送信することは、
通信構造の同じフィールドに前記Ｗｉ−Ｆｉプリアンブルおよび前記チャネル使用ビーコンシンボルを含めることと、
前記通信構造を使用して前記第１の送信インジケータおよび前記第２の送信インジケータを送信することと、を備える、
Ｃ３に記載の方法。
［Ｃ７］
前記第１の送信インジケータは、前記第２の送信インジケータ内に埋め込まれる、
Ｃ１に記載の方法。
［Ｃ８］
前記免許不要無線周波数スペクトル帯域が前記通信のために利用可能であると決定することは、
クリアチャネルアセスメント（ＣＣＡ）プロシージャを実行することと、
前記ＣＣＡプロシージャを実行することに基づいて前記免許不要無線周波数スペクトル帯域が前記通信のために利用可能であると決定することと、を備える、
Ｃ１に記載の方法。
［Ｃ９］
前記デバイスは、基地局またはユーザ機器のうちの少なくとも１つを含む、
Ｃ１に記載の方法。
［Ｃ１０］
前記第１の送信インジケータは、Ｗｉ−Ｆｉプリアンブルを含み、
ここにおいて、前記Ｗｉ−Ｆｉプリアンブルは、
前記デバイスを特定するソース識別子、または、
前記デバイスが前記前記免許不要無線周波数スペクトル帯域においてデプロイされたロングタームエボリューション（ＬＴＥ）無線アクセス技術を使用して信号を送信することが可能であることを示す無線アクセス技術インジケータのうちの少なくとも１つを含む、
Ｃ１に記載の方法。
［Ｃ１１］
前記デバイスの通信範囲内のＷｉ−Ｆｉアクセスポイントと関連されたＷｉ−Ｆｉプロトコルを決定することと、
前記Ｗｉ−Ｆｉプロトコルに基づいて前記第１の送信インジケータを生成することと、をさらに備える、
Ｃ１に記載の方法。
［Ｃ１２］
前記第１の送信インジケータは、Ｗｉ−Ｆｉプリアンブルを含み、
ここにおいて、前記Ｗｉ−Ｆｉプリアンブルは、前記通信の継続時間を示す継続時間インジケータを含み、および、
ここにおいて、前記第２の送信インジケータは、前記第１の送信インジケータが送信されたことの指示を含む、
Ｃ１に記載の方法。
［Ｃ１３］
ワイヤレス通信のための方法であって、
デバイスによって、免許不要無線周波数スペクトル帯域での通信を検出すること、
ここにおいて、前記通信は、第１の無線アクセス技術と関連された第１の送信インジケータを含み、
ここにおいて、前記デバイスは、前記免許不要無線周波数スペクトル帯域を介して通信するために第２の無線アクセス技術を使用する、と、
前記デバイスによっておよび前記第１の送信インジケータに基づいて、前記免許不要無線周波数スペクトル帯域で前記通信を送信したソースデバイスのソースデバイスタイプを決定することと、
前記ソースデバイスタイプに基づいて、前記デバイスによって、前記免許不要無線周波数スペクトル帯域へのアクセスのために選択的に競争するかまたは、前記デバイスによって、前記免許不要無線周波数スペクトル帯域を介して選択的に送信することと、を備える、ワイヤレス通信のための方法。
［Ｃ１４］
前記ソースデバイスと関連された第１のネットワークオペレータは、前記デバイスと関連された第２のネットワークオペレータと異なるネットワークオペレータであると決定することをさらに備え、
ここにおいて、前記ソースデバイスタイプに基づいて前記前記免許不要無線周波数スペクトル帯域へのアクセスのために選択的に競争することまたは前記免許不要無線周波数スペクトル帯域を介して選択的に送信することは、
前記第１のネットワークオペレータが前記第２のネットワークオペレータと前記異なるネットワークオペレータであるとの前記決定に少なくとも部分的に基づいて前記免許不要無線周波数スペクトル帯域へのアクセスのために競争するかまたは前記免許不要無線周波数スペクトル帯域を介して送信するためにある量の時間の間待機することを備える、
Ｃ１３に記載の方法。
［Ｃ１５］
前記ソースデバイスと関連された第１のネットワークオペレータは、前記デバイスと関連された第２のネットワークオペレータと同じネットワークオペレータであると決定することをさらに備え、
ここにおいて、前記ソースデバイスタイプに基づいて前記免許不要無線周波数スペクトル帯域へのアクセスのために選択的に競争することまたは前記免許不要無線周波数スペクトル帯域を介して選択的に送信することは、
前記第１のネットワークオペレータが前記第２のネットワークオペレータと前記同じネットワークオペレータであるとの前記決定に少なくとも部分的に基づいて、前記免許不要無線周波数スペクトル帯域へのアクセスのために競争するかまたは前記免許不要無線周波数スペクトル帯域を介して送信するためにある量の時間の間待機することなしに、前記免許不要無線周波数スペクトル帯域へのアクセスのために競争することまたは前記免許不要無線周波数スペクトル帯域を介して送信することを備える、
Ｃ１３に記載の方法。
［Ｃ１６］
前記デバイスは、基地局またはユーザ機器のうちの少なくとも１つを含む、
Ｃ１３に記載の方法。
［Ｃ１７］
前記免許不要無線周波数スペクトル帯域へのアクセスのために選択的に競争することまたは前記免許不要無線周波数スペクトル帯域を介して選択的に送信することは、
前記ソースデバイスがＷｉ−Ｆｉアクセスポイントであることを前記ソースデバイスタイプが示すときにある量の時間の間前記免許不要無線周波数スペクトル帯域へのアクセスのために競争するために待機することまたは前記免許不要無線周波数スペクトル帯域を介して送信するために待機することを備える、
Ｃ１３に記載の方法。
［Ｃ１８］
前記第１の送信インジケータに含められた継続時間インジケータを検出することをさらに備え、
前記継続時間インジケータは、前記免許不要無線周波数スペクトル帯域での前記通信のある量の時間を示し、
ここにおいて、前記免許不要無線周波数スペクトル帯域へのアクセスのために選択的に競争することまたは前記免許不要無線周波数スペクトル帯域を介して選択的に送信することは、
前記継続時間インジケータによって示される前記量の時間の間前記免許不要無線周波数スペクトル帯域へのアクセスのために競争するために待機することまたは前記免許不要無線周波数スペクトル帯域を介して送信するために待機することを備える、
Ｃ１３に記載の方法。
［Ｃ１９］
前記免許不要無線周波数スペクトル帯域へのアクセスのために選択的に競争することまたは前記免許不要無線周波数スペクトル帯域を介して選択的に送信することは、
前記ソースデバイスが前記免許不要無線周波数スペクトル帯域においてデプロイされたロングタームエボリューション（ＬＴＥ）無線アクセス技術を使用するデバイスのタイプであることを前記ソースデバイスタイプが示すときに前記免許不要無線周波数スペクトル帯域へのアクセスのために競争することまたは前記免許不要無線周波数スペクトル帯域を介して送信することを備える、
Ｃ１３に記載の方法。
［Ｃ２０］
前記第２の無線アクセス技術と関連された第２の送信インジケータを検出することをさらに備え、
ここにおいて、前記ソースデバイスタイプを決定することは、
前記ソースデバイスが前記免許不要無線周波数スペクトル帯域においてデプロイされたロングタームエボリューション（ＬＴＥ）無線アクセス技術を使用するデバイスのタイプであることを前記ソースデバイスタイプが示す
と決定することを備える、
Ｃ１３に記載の方法。
［Ｃ２１］
前記第２の送信インジケータは、前記第１の送信インジケータが前記ソースデバイスと関連されるとの指示を含み、
ここにおいて、前記ソースデバイスタイプを決定することは、
前記第１の送信インジケータが前記ソースデバイスと関連されるとの前記指示に基づいて前記ソースデバイスタイプは前記免許不要無線周波数スペクトル帯域においてデプロイされた前記ＬＴＥ無線アクセス技術を使用するデバイスのタイプであると決定することを備える、
Ｃ２０に記載の方法。
［Ｃ２２］
前記第２の送信インジケータは、チャネル使用ビーコンシンボルを含み、
ここにおいて、前記第２の無線アクセス技術は、前記免許不要無線周波数スペクトル帯域においてデプロイされた前記ＬＴＥ無線アクセス技術である、
Ｃ２０に記載の方法。
［Ｃ２３］
前記第１の送信インジケータを検出して以降に、前記第２の無線アクセス技術と関連された第２の送信インジケータを検出することなしにある量の時間が経過したと決定することをさらに備え、および、
ここにおいて、前記ソースデバイスタイプを決定することは、
前記第２の送信インジケータを検出することなしに前記量の時間が経過したと決定したことに基づいて前記ソースデバイスがＷｉ−Ｆｉアクセスポイントであることを前記ソースデバイスタイプが示すと決定することを備える、
Ｃ１３に記載の方法。
［Ｃ２４］
前記ソースデバイスタイプが前記免許不要無線周波数スペクトル帯域においてデプロイされたロングタームエボリューション（ＬＴＥ）無線アクセス技術を使用するデバイスのタイプであることを前記第１の送信インジケータと関連された第２の送信インジケータが示すかどうかを決定することをさらに備え、および、
ここにおいて、前記ソースデバイスタイプを決定することは、
前記ソースデバイスタイプが前記免許不要無線周波数スペクトル帯域においてデプロイされた前記ＬＴＥ無線アクセス技術を使用するデバイスの前記タイプであることを前記第２の送信インジケータが示すかどうかを決定することに基づいて前記ソースデバイスタイプが前記免許不要無線周波数スペクトル帯域においてデプロイされた前記ＬＴＥ無線アクセス技術を使用するデバイスの前記タイプであると決定することを備える、
Ｃ１３に記載の方法。
［Ｃ２５］
前記第１の送信インジケータは、Ｗｉ−Ｆｉプリアンブルを含む、
Ｃ１３に記載の方法。
［Ｃ２６］
前記免許不要無線周波数スペクトル帯域へのアクセスのために選択的に競争することまたは前記免許不要無線周波数スペクトル帯域を介して選択的に送信することは、
前記ソースデバイスタイプが第１のソースデバイスタイプであるときに前記免許不要無線周波数スペクトル帯域へのアクセスのために競争するためにクリアチャネルアセスメント（ＣＣＡ）プロシージャを実行すること、または、
前記ソースデバイスタイプが第２のソースデバイスタイプであるときに前記ＣＣＡプロシージャが実行されるのを防止することまたは前記ＣＣＡプロシージャを実行するために待機すること、を備える、
Ｃ１３に記載の方法。
［Ｃ２７］
前記免許不要無線周波数スペクトル帯域へのアクセスのために選択的に競争することまたは前記免許不要無線周波数スペクトル帯域を介して選択的に送信することは、
前記ソースデバイスタイプが第１のソースデバイスタイプであるときに前記免許不要無線周波数スペクトル帯域を介して送信すること、または、
前記ソースデバイスタイプが第２のソースデバイスタイプであるときに前記免許不要無線周波数スペクトル帯域を介しての送信を防止することまたは前記免許不要無線周波数スペクトル帯域を介して送信するために待機すること、を備える、
Ｃ１３に記載の方法。
［Ｃ２８］
ワイヤレス通信のための装置であって、
免許不要無線周波数スペクトル帯域が通信のために利用可能であると決定するための手段と、
前記免許不要無線周波数スペクトル帯域が前記通信のために利用可能であると決定したことに基づいて、前記装置が前記免許不要無線周波数スペクトル帯域を介して情報を送信中であることを示す第１の送信インジケータを送信するための手段、
ここにおいて、前記第１の送信インジケータは、第１の無線アクセス技術と関連される、と、
前記免許不要無線周波数スペクトル帯域が前記通信のために利用可能であると決定したことに基づいて、前記装置が前記免許不要無線周波数スペクトル帯域を介して情報を送信中であることを示す第２の送信インジケータを送信するための手段、
ここにおいて、前記第２の送信インジケータは、前記第１の無線アクセス技術と異なる第２の無線アクセス技術と関連される、と、を備える、ワイヤレス通信のための装置。
［Ｃ２９］
ワイヤレス通信のための装置であって、
免許不要無線周波数スペクトル帯域での通信を検出するための手段、
ここにおいて、前記通信は、第１の無線アクセス技術と関連された第１の送信インジケータを含み、
ここにおいて、前記装置は、前記免許不要無線周波数スペクトル帯域を介して通信するために第２の無線アクセス技術を使用する、と、
前記第１の送信インジケータに基づいて、前記免許不要無線周波数スペクトル帯域で前記通信を送信したソースデバイスのソースデバイスタイプを決定するための手段と、
前記ソースデバイスタイプに基づいて前記免許不要無線周波数スペクトル帯域へのアクセスのために選択的に競争するためのまたは前記免許不要無線周波数スペクトル帯域を介して選択的に送信するための手段と、を備える、ワイヤレス通信のための装置。
［Ｃ３０］
前記ソースデバイスと関連された第１のネットワークオペレータが前記装置と関連された第２のネットワークオペレータと同じネットワークオペレータであるどうかを決定するための手段をさらに備え、
ここにおいて、前記ソースデバイスタイプに基づいて前記免許不要無線周波数スペクトル帯域へのアクセスのために選択的に競争するまたは前記免許不要無線周波数スペクトル帯域を介して選択的に送信するための前記手段は、
前記第１のネットワークオペレータが前記第２のネットワークオペレータと前記同じネットワークオペレータでないとの決定に少なくとも部分的に基づいて前記免許不要無線周波数スペクトル帯域へのアクセスのためにまたは前記免許不要無線周波数スペクトル帯域を介して送信するためにある量の時間の間待機するための手段、または、
前記第１のネットワークオペレータが前記第２のネットワークオペレータと前記同じネットワークオペレータであるとの前記決定に少なくとも部分的に基づいて、前記量の時間の間待機することなしに、前記免許不要無線周波数スペクトル帯域へのアクセスのために競争するためのまたは前記免許不要無線周波数スペクトル帯域を介して送信するための手段、を備える、
Ｃ２９に記載の装置。